(57)【要約】      （修正有）【課題】自動操舵モード中に、操舵トルクの大きさに応じた容量（積分値）で手動操舵モードに切り換えるようにし、運転者に違和感を与えないようにした電動パワーステアリング装置を提供する。【解決手段】電流指令値を算出する舵角制御部２００と、操舵トルク判定信号を出力するトルク積分判定部３００と、動作モードを切り換える切換信号又は操舵トルク判定信号により切り換えられる切換部１４２とを具備し、トルク積分判定部３００が、操舵トルク（絶対値）をトルク閾値と比較して出力信号を出力するトルク値比較部と、出力信号を積分して積分出力値を出力する積分演算部と、積分出力値と積分閾値とを比較することにより、操舵トルク判定信号を出力する切換判定部とで構成され、積分出力値は、自動操舵モード中で、かつ絶対値がトルク閾値に達した時に積算を開始し、積分出力値が閾値に達した時に自動操舵モードを手動操舵モードに切り換える。【選択図】図３
2016145036.tif 000002
【特許請求の範囲】
【請求項１】
操舵トルク及び車速に基づいてモータ電流指令値１を演算し、前記モータ電流指令値１に基づいてモータを駆動して操舵系をアシスト制御すると共に、自動操舵モードと手動操舵モードとを切り換える機能を有する電動パワーステアリング装置において、
目標操舵角に実操舵角を近づけるようにモータ電流指令値２を算出する舵角制御部と、
前記操舵トルクを積分した積分出力値と積分閾値とを比較することにより、操舵トルク判定信号を出力するトルク積分判定部と、
前記モータ電流指令値１及び前記モータ電流指令値２を入力し、前記自動操舵モードと前記手動操舵モードとを切り換える切換信号又は前記操舵トルク判定信号により切り換えられる切換部とを具備し、
前記トルク積分判定部が、
絶対値に変換した前記操舵トルクをトルク閾値と比較すると共に、出力信号として出力するトルク値比較部と、
前記出力信号を積分して前記積分出力値を出力する積分演算部と、
前記積分演算部からの前記積分出力値と前記積分閾値とを比較することにより、前記操舵トルク判定信号を出力する切換判定部とで構成され、
前記積分出力値は、前記自動操舵モード中で、かつ、前記絶対値に変換した前記操舵トルクが前記トルク閾値に達した時に積算を開始し、
前記積分出力値が前記積分閾値に達した時に、前記切換部が前記自動操舵モードを前記手動操舵モードに切り換えることを特徴とする電動パワーステアリング装置。
【請求項２】
前記トルク積分判定部が、前記トルク値比較部の前段に前記操舵トルクのノイズを除去するＬＰＦを具備している請求項１に記載の電動パワーステアリング装置。
【請求項３】
前記トルク積分判定部が、前記トルク値比較部の後段に上下限値を制限するリミッタを具備している請求項１又は２に記載の電動パワーステアリング装置。
【請求項４】
前記トルク値比較部が、前記自動操舵モード中で、かつ、前記操舵トルクが前記トルク閾値よりも小さいときに、前記積分演算部を初期化する過去値初期化信号を出力する機能を具備している請求項１乃至３のいずれかに記載の電動パワーステアリング装置。
【請求項５】
前記舵角制御部は、前記目標操舵角、前記実操舵角、前記操舵トルク、モータ回転角に基づいたモータ角速度により演算された前記モータ電流指令値２を算出し、前記目標操舵角に前記実操舵角を近づけるようにする請求項１乃至４のいずれかに記載の電動パワーステアリング装置。
【請求項６】
前記切換部は、トルク積分値が前記積分閾値に達した時に、フェードゲインを用いて前記モータ電流指令値２を除変する請求項１乃至５のいずれかに記載の電動パワーステアリング装置。
【発明の詳細な説明】
【技術分野】
【０００１】
本発明は、自動操舵モード（駐車支援モード）と手動操舵モードの機能を有し、車両の操舵系にモータによるアシスト力を付与するようにした電動パワーステアリング装置に関し、特に自動操舵モードから手動操舵モードへの切換判定の性能を向上した電動パワーステアリング装置に関する。
【背景技術】
【０００２】
車両のステアリング機構にモータの回転力で操舵補助力（アシスト力）を付与する電動パワーステアリング装置は、モータの駆動力を減速機を介してギア又はベルト等の伝達機構により、ステアリングシャフト或いはラック軸に操舵補助力を付与するようになっている。かかる従来の電動パワーステアリング装置（ＥＰＳ）は、操舵補助力のトルクを正確に発生させるため、モータ電流のフィードバック制御を行っている。フィードバック制御は、操舵補助指令値（電流指令値）とモータ電流検出値との差が小さくなるようにモータ印加電圧を調整するものであり、モータ印加電圧の調整は、一般的にＰＷＭ（パルス幅変調）制御のデューティの調整で行っている。
【０００３】
電動パワーステアリング装置の一般的な構成を図１に示して説明すると、ハンドル（ステアリングホイール）１のコラム軸（ステアリングシャフト）２は減速ギア３、ユニバーサルジョイント４ａ及び４ｂ、ピニオンラック機構５、タイロッド６ａ，６ｂを経て、更にハブユニット７ａ，７ｂを介して操向車輪８Ｌ，８Ｒに連結されている。また、コラム軸２には、ハンドル１の操舵トルクを検出するトルクセンサ１０が設けられており、ハンドル１の操舵力を補助するモータ２０が減速ギア３を介してコラム軸２に連結されている。電動パワーステアリング装置を制御するコントロールユニット（ＥＣＵ）１００には、バッテリ１３から電力が供給されると共に、イグニションキー１１を経てイグニションキー信号が入力される。コントロールユニット１００は、トルクセンサ１０で検出された操舵トルクＴｈと車速センサ１２で検出された車速Ｖｅｌとに基づいてアシスト（操舵補助）指令の操舵補助指令値の演算を行い、操舵補助指令値に補償等を施した電流制御値Ｅによってモータ２０に供給する電流を制御する。なお、車速ＶｅｌはＣＡＮ（Controller  Area  Network）等から受信することも可能である。
【０００４】
このような電動パワーステアリング装置において、コントロールユニット１００は、例えば特開２００２−３６９５６５号公報に開示されているような図２の構成となっている。
【０００５】
図２では、ステアリング装置の補助操舵力を発生するモータ２０はモータ駆動部２１によって駆動され、モータ駆動部２１は二点鎖線で示すコントロールユニット１００で制御され、コントロールユニット１００にはトルクセンサ１０からの操舵トルクＴｈ及び車速検出系からの車速Ｖｅｌが入力される。モータ２０では、モータ端子間電圧Ｖｍ及びモータ電流値ｉが計測されて出力される。
【０００６】
コントロールユニット１００は操舵トルクＴｈを用いて制御を行う破線で示すトルク系制御部１１０と、モータ２０の駆動に関連した制御を行う一点鎖線で示すモータ系制御部１２０とで構成されている。トルク系制御部１１０はアシスト量演算部１１１、微分制御部１１２、ヨーレート収れん性制御部１１３、ロバスト安定化補償部１１４及びセルフアライニングトルク（ＳＡＴ）推定フィードバック部１１５によって構成され、加算部１１６Ａ及び１１６Ｂ、減算部１１６Ｃを具備している。また、モータ系制御部１２０は補償部１２１、外乱推定部１２２、モータ角速度演算部１２３、モータ角加速度演算部１２４及びモータ特性補償部１２５で構成され、加算部１２６Ａ及び１２６Ｂを具備している。
【０００７】
操舵トルクＴｈはアシスト量演算部１１１、微分制御部１１２、ヨーレート収れん性制御部１１３及びＳＡＴ推定フィードバック部１１５に入力され、いずれも車速Ｖｅｌをパラメータ入力としている。アシスト量演算部１１１は操舵トルクＴｈに基づいてアシストトルク量を演算し、ヨーレート収れん性制御部１１３は操舵トルクＴｈ及びモータ角速度ωを入力とし、車両のヨーの収れん性を改善するために、ハンドルが振れ回る動作に対してブレーキをかけるようになっている。また、微分制御部１１２はステアリングの中立点付近の制御の応答性を高め、滑らかでスムーズな操舵を実現するようになっており、ＳＡＴ推定フィードバック部１１５は操舵トルクＴｈと、アシスト量演算部１１１の出力に微分制御部１１２の出力を加算部１１６Ａで加算した信号と、モータ角速度演算部１２３で演算された角速度ωと、モータ角加速度演算部１２４からの角加速度αとを入力してＳＡＴを推定し、推定したＳＡＴをフィードバックフィルタを用いて信号処理し、ハンドルに適切な路面情報を反力として与えるようになっている。
【０００８】
また、アシスト量演算部１１１の出力に微分制御部１１２の出力を加算部１１６Ａで加算した信号に、ヨーレート収れん性制御部１１３の出力を加算部１１６Ｂで加算した信号をアシスト量ＡＱとしてロバスト安定化補償部１１４に入力している。ロバスト安定化補償部１１４は例えば特開平８−２９０７７８号公報に示されている補償部であり、検出トルクに含まれる慣性要素とばね要素で成る共振系の共振周波数におけるピーク値を除去し、制御系の応答性と安定性を阻害する共振周波数の位相のズレを補償するものである。ロバスト安定化補償部１１４の出力からＳＡＴ推定フィードバック部１１５の出力を減算部１１６Ｃで減算することで、路面情報を反力としてハンドルに伝えることができるアシスト量Ｉａが得られる。
【０００９】
更に、モータ角速度演算部１２３はモータ端子間電圧Ｖｍ及びモータ電流値ｉに基づいてモータ角速度ωを演算するものであり、モータ角速度ωはモータ角加速度演算部１２４、ヨーレート収れん性制御部１１３及びＳＡＴ推定フィードバック部１１５に入力される。モータ角加速度演算部１２４では、入力されたモータ角速度ωに基づいてモータ角加速度αを演算し、演算したモータ角加速度αはモータ特性補償部１２５及びＳＡＴ推定フィードバック部１１５に入力される。モータ特性補償部１２５の出力Ｉｃに、ロバスト安定化補償部１１４の出力からＳＡＴ推定フィードバック部１１５の出力を減算したアシスト量Ｉａが加算部１２６Ａで加算され、その加算信号が電流指令値Ｉｒとして微分補償部等で成る補償部１２１に入力される。補償部１２１で補償された電流指令値Ｉｒａに外乱推定部１２２の出力を加算部１２６Ｂで加算した信号がモータ駆動部２１及び外乱推定部１２２に入力される。外乱推定部１２２は特開平８−３１０４１７号公報で示されるような装置であり、モータ出力の制御目標である補償部１２１で補償された電流指令値Ｉｒａに外乱推定部１２２の出力を加算した信号と、モータ電流値ｉとに基づいて、制御系の出力基準における希望するモータ制御特性を維持することができ、制御系の安定性を失うことがないようにしている。
【００１０】
このような電動パワーステアリング装置において、近年駐車支援機能（パーキングアシスト）を搭載し、自動操舵モードと手動操舵モードとを切り換える車両が出現して来ており、駐車支援機能を搭載した車両にあってはカメラ（画像）や距離センサなどのデータを基に目標操舵角を設定し、目標操舵角に従った自動制御が行われる。
【００１１】
従来周知の自動操舵モード（駐車支援モード）と手動操舵モードの機能を有する電動パワーステアリング装置では、予め記憶した車両の移動距離と転舵角との関係に基づいてアクチュエータ（モータ）を制御することにより、バック駐車や縦列駐車を自動で行うようになっている。
【００１２】
そして、従来の装置は自動操舵モード中に運転者がハンドルを操作し、その操舵トルクが予め設定した所定値を越えたと判断されると自動操舵制御を中止するようになっている。しかしながら、トルクセンサの出力を所定値と比較するだけでその判断を行うと、トルクセンサのノイズにより、或いはタイヤが小石を踏んだような場合やモータによる自動操舵が行われた場合のハンドルの慣性トルクにより、トルクセンサの出力が一時的に所定値を越えることがあり、その度に自動操舵制御が中止されてしまう問題がある。このような不都合を回避するために所定値を高めに設定すると、自動操舵モードと手動操舵モードとが干渉し合って運転者に違和感を与えるだけでなく、自動操舵制御中に運転者がハンドルを操作しても自動操舵制御が直ちに中止されなくなる可能性がある。
【００１３】
このような問題を解決する自動操舵装置として、例えば特許第３８４５１８８号公報（特許文献１）が提案されている。特許文献１に開示された装置は、目標位置までの車両の移動軌跡を記憶又は算出する移動軌跡設定手段と、車輪を転舵するアクチュエータ（モータ）と、運転者がハンドルに加える操舵トルクを検出する操舵トルク検出手段（トルクセンサ）と、移動軌跡設定手段により設定された移動軌跡に基づいてアクチュエータの駆動を制御すると共に、予め設定された所定値以上の操舵トルクが所定時間以上に亘って検出されたときに移動軌跡に基づくアクチュエータの制御を中止するアクチュエータ制御手段とを備えた車両の自動操舵装置において、所定値を複数種類設定し、各所定値に対応して所定時間を変更するようになっている。
【先行技術文献】
【特許文献】
【００１４】
【特許文献１】特許第３８４５１８８号公報
【発明の概要】
【発明が解決しようとする課題】
【００１５】
しかしながら、特許文献１に開示された装置では、運転者の操舵トルクに応じた所定時間を経過すると、自動操舵制御を中止するようになっている。所定値を複数種類設定し、各所定値に対応して所定時間を変更する煩雑さがあり、演算負荷が大きいといった問題がある。
【００１６】
本発明は上述のような事情よりなされたものであり、本発明の目的は、自動操舵モードと手動操舵モードの機能を有する車両において、自動操舵モード中に、運転者がハンドルを操舵したことをトルクセンサからの操舵トルクで検知し、発生トルクの大きさに応じた容量（積分値）が、所定値以上若しくはきめ細かく設定された所定値以上となったときに手動操舵モードに切り換えるようにし、運転者に違和感を与えないようにした電動パワーステアリング装置を提供することにある。
【課題を解決するための手段】
【００１７】
本発明は、操舵トルク及び車速に基づいてモータ電流指令値１を演算し、前記モータ電流指令値１に基づいてモータを駆動して操舵系をアシスト制御すると共に、自動操舵モードと手動操舵モードとを切り換える機能を有する電動パワーステアリング装置に関し、本発明の上記目的は、目標操舵角に実操舵角を近づけるようにモータ電流指令値２を算出する舵角制御部と、前記操舵トルクを積分した積分出力値と積分閾値とを比較することにより、操舵トルク判定信号を出力するトルク積分判定部と、前記モータ電流指令値１及び前記モータ電流指令値２を入力し、前記自動操舵モードと前記手動操舵モードとを切り換える切換信号又は前記操舵トルク判定信号により切り換えられる切換部とを具備し、前記トルク積分判定部が、絶対値に変換した前記操舵トルクをトルク閾値と比較すると共に、出力信号として出力するトルク値比較部と、前記出力信号を積分して前記積分出力値を出力する積分演算部と、前記積分演算部からの前記積分出力値と前記積分閾値とを比較することにより、前記操舵トルク判定信号を出力する切換判定部とで構成され、前記積分出力値は、前記自動操舵モード中で、かつ、前記絶対値に変換した前記操舵トルクが前記トルク閾値に達した時に積算を開始し、前記積分出力値が前記積分閾値に達した時に、前記切換部が前記自動操舵モードを前記手動操舵モードに切り換えることにより達成される。
【００１８】
また、本発明の上記目的は、前記トルク積分判定部が、前記トルク値比較部の前段に前記操舵トルクのノイズを除去するＬＰＦを具備していることにより、或いは前記トルク積分判定部が、前記トルク値比較部の後段に上下限値を制限するリミッタを具備していることにより、或いは前記トルク値比較部が、前記自動操舵モード中で、かつ、前記操舵トルクが前記トルク閾値よりも小さいときに、前記積分演算部を初期化する過去値初期化信号を出力する機能を具備していることにより、或いは前記舵角制御部は、前記目標操舵角、前記実操舵角、前記操舵トルク、モータ回転角に基づいたモータ角速度により演算された前記モータ電流指令値２を算出し、前記目標操舵角に前記実操舵角を近づけるようにすることにより、或いは前記切換部は、トルク積分値が前記積分閾値に達した時に、フェードゲインを用いて前記モータ電流指令値２を除変することにより、より効果的に達成される。
【発明の効果】
【００１９】
本発明に係る電動パワーステアリング装置によれば、自動操舵モード（駐車支援機能）と手動操舵モードを有する車両において、操舵トルクが所定のトルク閾値以上となったときに操舵トルクを積分し、積分値の大きさを更に所定の積分閾値と比較して切換制御を行っているので、操舵トルクが大きいほど、切換判定のために要する時間を短くすることができる。時間の経過ではなく、操舵トルクの積分値で切換制御の判断をしているので、特に自動操舵モード中の手動操舵モードへの切換においても、運転者に違和感を与えることはない。
【００２０】
また、操舵トルクの閾値と判定時間の設定値を複数持つ必要はなく、構成が簡易で演算負荷を小さくできる利点がある。
【図面の簡単な説明】
【００２１】
【図１】電動パワーステアリング装置の概要を示す構成図である。
【図２】従来の電動パワーステアリング装置の制御系の構成例を示すブロック図である。
【図３】本発明の構成例（第１実施例）を示すブロック図である。
【図４】トルク積分判定部の構成例を示すブロック図である。
【図５】本発明の動作例（第１実施例）を示すフローチャートである。
【図６】トルク積分判定部の動作例を示すフローチャートである。
【図７】操舵トルクと積分の動作例を示すタイムチャートである。
【図８】操舵トルクと判定時間の関係を示す特性図である。
【図９】本発明の構成例（第２実施例）を示すブロック図である。
【図１０】トルク積分判定部の構成例を示すブロック図である。
【図１１】本発明の動作例（第２実施例）を示すフローチャートである。
【図１２】トルク積分判定部の動作例を示すフローチャートである。
【図１３】本発明の動作を説明するための図である。
【図１４】各２つの閾値を比較して、操舵トルクと積分の動作例を示すタイムチャートである。
【発明を実施するための形態】
【００２２】
本発明では、自動操舵モードと手動操舵モードの機能を有する車両の電動パワーステアリング装置において、自動操舵モード中に、運転者がハンドルを操舵したことをトルクセンサからの操舵トルクで検知すると共に、発生トルクの大きさに応じた容量（積分値）が所定値以上となったときに手動操舵モードに切り換えるようにし、どのような状況においても運転者に違和感を与えないようにしている。
【００２３】
複数の閾値で判定を行うようにした場合には、どのような状況においても運転者に違和感を与えず、手動操舵モードへの迅速で確実な切換を図ることができる。
【００２４】
以下に、本発明の実施の形態を、図面を参照して詳細に説明する。
【００２５】
図３は本発明の構成例（第１実施例）を示しており、モータ１５０にはモータ回転角θｓを検出するためのレゾルバ等の回転センサ１５１が接続されており、モータ１５０は車両側のＥＣＵ１３０及びＥＰＳ（電動パワーステアリング装置）側のＥＣＵ１４０を介して駆動制御される。
【００２６】
車両側のＥＣＵ１３０は、運転者の意思を示すボタン、スイッチ等に基づいて、自動操舵モード又は手動操舵モードの切換指令ＳＷを出力する切換指令部１３１と、カメラ（画像）や距離センサなどの信号に基づいて目標操舵角θｔを生成する目標操舵角生成部１３２とを具備している。また、コラム軸に設けられた舵角センサ１５２で検出された実操舵角θｒ及び車速センサ１５３からの車速Ｖｅｌは、ＥＣＵ１３０を経てＥＰＳ側のＥＣＵ１４０内の舵角制御部２００に入力される。舵角センサ１５２はコラム軸（インターミディエイト、ピニオン軸を含む）、ラックアンドピニオンのラックの変位、車輪速度などによる舵角推定値であっても良い。また、車速ＶｅｌはＣＡＮ等から受信することも可能である。
【００２７】
切換指令部１３１は、自動操舵モードに入ることを識別する信号、例えば運転者の意思をダッシュボードやハンドル周辺に設けたボタンやスイッチ、或いはシフトに設けた駐車モードなどによる車両状態の信号を基に切換指令ＳＷを出力し、切換指令ＳＷをＥＰＳ側のＥＣＵ１４０内の切換部１４２に入力する。また、目標操舵角生成部１３２は、カメラ（画像）、距離センサなどのデータを基に公知の手法で目標操舵角θｔを生成し、生成された目標操舵角θｔをＥＰＳ側のＥＣＵ１４０内の舵角制御部２００に入力する。
【００２８】
ＥＰＳ側のＥＣＵ１４０は、トルクセンサ１５４からの操舵トルクＴｈ及びモータ角速度ωに基づいて演算されたモータ電流指令値Ｉｔｒｅｆを出力するトルク制御部１４１と、目標操舵角θｔ、実操舵角θｒ、車速Ｖｅｌ、操舵トルクＴｈ、モータ角速度ωに基づいて舵角自動制御のためのモータ電流指令値Ｉｍｒｅｆを演算して出力する舵角制御部２００と、切換指令部１３１からの切換指令ＳＷ又は操舵トルク判定信号ＴＤによって、モータ電流指令値Ｉｔｒｅｆ及びＩｍｒｅｆを切り換えてモータ電流指令値Ｉｒｅｆを出力する切換部１４２と、切換部１４２からのモータ電流指令値Ｉｒｅｆ（Ｉｔｒｅｆ又はＩｍｒｅｆ）に基づいてモータ１５０を駆動制御する電流制御／駆動部１４３と、回転センサ１５１からのモータ回転角θｓに基づいてモータ角速度ωを演算するモータ角速度演算部１４４と、操舵トルクＴｈに基づいて操舵トルク判定信号ＴＤを出力するトルク積分判定部３００とを具備している。舵角制御部２００は、目標操舵角θｔに実操舵角θｒを近づけるようにモータ電流指令値Ｉｍｒｅｆを算出する。
【００２９】
切換部１４２は、ＥＣＵ１３０の切換指令部１３１からの切換指令ＳＷ又はトルク積分判定部３００からの操舵トルク判定信号ＴＤに基づいて、トルク制御部１４１によるトルク制御モード（手動操舵モード）と、舵角制御部２００による自動操舵モードとを切り換え、手動操舵モードではモータ電流指令値Ｉｔｒｅｆをモータ電流指令値Ｉｒｅｆとして出力し、自動操舵モードではモータ電流指令値Ｉｍｒｅｆをモータ電流指令値Ｉｒｅｆとして出力する。また、電流制御／駆動部１４３は、ＰＩ電流制御部、ＰＷＭ制御部、インバータ等で構成されている。
【００３０】
トルク積分判定部３００は図４に示すような構成となっており、操舵トルクＴｈのノイズを除去するためのＬＰＦ（ローパスフィルタ）３０１と、ＬＰＦ３０１から出力される操舵トルクＴｈａの絶対値を求める絶対値部３０２と、操舵トルクＴｈａの絶対値を所定のトルク閾値Ｔｔｈと比較して出力信号Ｃｔ又は過去値初期化信号Ｐｉを出力するトルク値比較部３０３と、出力信号Ｃｔの上下限値を制限し、過大な信号を入力しないようにするリミッタ３０４と、リミッタ３０４からの積分入力値Ｃｔａを積分する積分演算部３０５と、積分演算部３０５で積分された積分出力値Ｉｏｕｔを所定の積分閾値Ｓｔｈと比較して操舵トルク判定信号ＴＤを出力する切換判定部３０６とで構成されている。
【００３１】
タイヤが縁石や石等に衝突した場合、ハンドルの慣性トルクにより操舵トルクＴｈが一時的に所定値を超えたり、或いは操舵トルクＴｈが所定値に満たない場合に、自動操舵制御が切り換わってしまったり、切り換わり難くなるのを回避するために、操舵トルクＴｈのノイズを除去するＬＰＦ３０１を設けている。トルク値比較部３０３は、操舵トルクＴｈａの絶対値｜Ｔｈａ｜をトルク閾値Ｔｔｈと比較し、絶対値｜Ｔｈａ｜がトルク閾値Ｔｔｈ以上のときに積分動作を実施し、絶対値｜Ｔｈａ｜がトルク閾値Ｔｔｈよりも小さいときに積分値を０に初期化する。即ち、トルク値比較部３０３は下記のような動作を行う。
（表１）
｜Ｔｈａ｜≧Ｔｔｈのとき、出力信号Ｃｔ＝｜Ｔｈａ｜
｜Ｔｈａ｜＜Ｔｔｈのとき、出力信号Ｃｔ＝０、過去値初期化信号Ｐｉ出力
トルク値比較部３０３から過去値初期化信号Ｐｉが出力されると、積分演算部３０６内の過去値保持部（Ｚ−１）が０に初期化される。また、切換判定部３０６は、積分出力値Ｉｏｕｔを積分閾値Ｓｔｈと比較し、積分出力値Ｉｏｕｔが積分閾値Ｓｔｈ以上のときに切換条件が成立し、自動操舵モードから手動操舵モードに切り換え、積分出力値Ｉｏｕｔが積分閾値Ｓｔｈよりも小さいときに切換条件不成立とし、自動操舵モードを継続する。即ち、切換判定部３０６は下記のような動作を行う。
（表２）
Ｉｏｕｔ≧Ｓｔｈのとき、切換条件成立
Ｉｏｕｔ＜Ｓｔｈのとき、切換条件不成立
絶対値部３０２を設けることで、値の大きさのみで判定することができる。そのため、単一のトルク閾値Ｔｔｈで大小を比較して判定することができる。また、構成として、絶対値部３０２とトルク値比較部３０３とを組み合わせ、トルク値比較部３０３の内部処理で絶対値を判定するようにしても良い。トルク閾値Ｔｔｈを正負複数設定する場合は絶対値部は不要であり、積分演算後に絶対値を求めるようにしても良い。
【００３２】
このような構成において、全体の動作例（第１実施例）を図５のフローチャートを参照して説明する。
【００３３】
操舵系の動作がスタートすると、トルク制御部１４１によるトルク制御（手動操舵モード）が実施され（ステップＳ１）、モータ電流指令値Ｉｔｒｅｆを用いて電流制御/駆動部１４３によりモータ１５０が駆動される（ステップＳ２）。上記動作は切換指令部１３１より切換指令ＳＷが出力されるまで繰り返される（ステップＳ３）。
【００３４】
自動操舵モードとなり、切換指令部１３１より切換指令ＳＷが出力されると、舵角制御部２００へ目標操舵角生成部１３２から目標操舵角θｔが入力され（ステップＳ４）、舵角センサ１５２から実操舵角θｒが入力され（ステップＳ５）、トルクセンサ１５４から操舵トルクＴｈが入力され（ステップＳ６）、車速センサ１５３から車速Ｖｅｌが入力され（ステップＳ７）、モータ角速度演算部１４４からモータ角速度ωが入力され（ステップＳ８）、舵角制御部２００でモータ電流指令値Ｉｍｒｅｆが生成される（ステップＳ１００）。なお、目標操舵角θｔ、実操舵角θｒ、操舵トルクＴｈ、モータ角速度ωの入力の順番は任意である。
【００３５】
その後、切換部１４２が切換指令部１３１からの切換指令ＳＷにより切り換えられて自動操舵モードとなり（ステップＳ１０）、舵角制御部２００からのモータ電流指令値Ｉｍｒｅｆを用いて電流制御／駆動部１４３によりモータ１５０を駆動する（ステップＳ１１）。
【００３６】
このような自動操舵モード中に、操舵トルクＴｈはトルク積分判定部３００でトルク積分動作を実施され（ステップＳ２００）、積分されたトルク積分値（積分出力値Ｉｏｕｔ）が所定の閾値以上になっているか否かが判定される（ステップＳ２００Ａ）。トルク積分値が閾値以上の場合には、トルク積分判定部３００より操舵トルク判定信号ＴＤが出力され、切換部１４２が切り換えられて上記ステップＳ１にリターンして手動操舵モードとなる。トルク積分値が閾値よりも小さい場合には上記ステップＳ３にリターンして上記動作（自動操舵モード）が繰り返される。
【００３７】
次にトルク積分判定部３００の動作（図５におけるステップＳ２００及びＳ２００Ａ）を、図６のフローチャートを参照して詳細に説明する。
【００３８】
既に入力（ステップＳ６）されている操舵トルクＴｈを読み取り（ステップＳ２０１）、ＬＰＦ３０１でノイズ除去を行い（ステップＳ２０２）、絶対値部３０２でＬＰＦ３０１からの操舵トルクＴｈａの絶対値｜Ｔｈａ｜を求める（ステップＳ２０３）。トルク値比較部３０３にはトルク閾値Ｔｔｈが予め入力されており、トルク値比較部３０３は絶対値｜Ｔｈａ｜がトルク閾値Ｔｔｈ以上であるか否かを判定し（ステップＳ２０４）、絶対値｜Ｔｈａ｜がトルク閾値Ｔｔｈ以上である場合には、出力信号Ｃｔを絶対値｜Ｔｈａ｜として積分演算部３０５に入力し、積分演算部３０５で積分動作を行う（ステップＳ２０５）。また、絶対値｜Ｔｈａ｜がトルク閾値Ｔｔｈよりも小さい場合には、出力信号Ｃｔを０にして積分動作をしないようにすると共に、過去値初期化信号Ｐｉを出力して積分演算部３０５を初期化する（ステップＳ２０６）。初期化は積分演算部３０５６内の過去値保持部（Ｚ−１）を０にリセットすることにより行われる。
【００３９】
積分演算部３０５からの積分出力値Ｉｏｕｔは切換判定部３０６に入力され、切換判定部３０６において積分出力値Ｉｏｕｔが積分閾値Ｓｔｈ以上であるか否かが判定される（ステップＳ２０７）。積分出力値Ｉｏｕｔが積分閾値Ｓｔｈ以上である場合には切換条件が成立し（ステップＳ２１０）、トルク判定信号ＴＤにより切換部１４２を切り換え（ステップＳ２１１）、自動操舵モードから手動操舵モードに切り換える（ステップＳ２１２）。また、積分出力値Ｉｏｕｔが積分閾値Ｓｔｈよりも小さい場合には切換条件が不成立であり、切換は行われない（ステップＳ２１３）。
【００４０】
図７は、トルク閾値Ｔｔｈに対する操舵トルクＴｈ（Ｔｈａ）の時間変化の一例を積分動作の関連で示しており、スタートから時点ｔ１までは操舵トルクＴｈがトルク閾値Ｔｔｈよりも小さいので積分は行われない。時点ｔ１から時点ｔ２までの間は、操舵トルクＴｈがトルク閾値Ｔｔｈ以上であるので積分が行われるが、積分値が積分閾値Ｓｔｈよりも小さいので切換条件は不成立となっている。そして、時点ｔ２から時点ｔ３までは操舵トルクＴｈがトルク閾値Ｔｔｈよりも小さいので積分は行われず、時点ｔ３以降は操舵トルクＴｈがトルク閾値Ｔｔｈ以上であるので積分が行われる。時点ｔ４において積分値が所定値（積分閾値Ｓｔｈ）以上となり、切換条件が成立する様子を示している。つまり、図８の斜線部が積分領域（面積）となっているが、時点ｔ２においては積分値が積分閾値Ｓｔｈよりも小さくて切換条件は不成立、時点ｔ４において積分値が積分閾値Ｓｔｈ以上となり、切換条件が成立する例を示している。
【００４１】
図８は、操舵トルクＴｈの操舵パターン＃１〜＃３と判定時間Ｄ１〜Ｄ３の関係を示しており、トルク閾値Ｔｔｈが与えられている。そして、操舵パターン＃１〜＃３について、操舵トルクＴｈがトルク閾値Ｔｔｈに達するタイミングは全て同一で、それ以降はいずれもトルク閾値Ｔｔｈよりも大きくなっており、トルク閾値Ｔｔｈに達すると積分演算が開始される。この図８より、操舵トルクＴｈが大きいほど判定時間が短くなることが分かる。これは、操舵トルクＴｈが大きいほど積分の変化率が大きく、積分閾値Ｓｔｈに早く到達するためである。
【００４２】
なお、切換部１４２で操舵モードの切換を行う場合に、フェードゲインを用いて徐変させるようにしても良い。
【００４３】
図９は本発明の構成例（第２実施例）を図３に対応させて示しており、トルク積分判定部３００Ａを除いて図３の第１実施例と全く同様である。トルク積分判定部３００Ａは、第１実施例と同様に操舵トルクＴｈに基づいて操舵トルク判定信号ＴＤを出力する。
【００４４】
第２実施例のトルク積分判定部３００Ａは図１０に示すような構成となっており、操舵トルクＴｈのノイズを除去するためのＬＰＦ（ローパスフィルタ）３０１と、ＬＰＦ３０１から出力される操舵トルクＴｈａの絶対値を求める絶対値部３０２とを第１実施例と同様に備え、判定部分は本第２実施例では２系列となっている。
【００４５】
即ち、第１系列は、操舵トルクＴｈａの絶対値｜Ｔｈａ｜を所定のトルク閾値Ｔｔｈ１と比較して出力信号Ｃｔ１又は過去値初期化信号Ｐｉ１を出力するトルク値比較部３０３−１と、出力信号Ｃｔ１の上下限値を制限し、過大な信号を入力しないようにするリミッタ３０４−１と、リミッタ３０４−１からの積分入力値Ｃｔａ１を積分する積分演算部３０５−１と、積分演算部３０５−１で積分された積分出力値Ｉｏｕｔ１を入力し、所定の積分閾値Ｓｔｈ１と比較して操舵トルク判定信号ＴＤを出力する切換判定部３０６Ａとで構成されている。同様に、第２系列は、操舵トルクＴｈａの絶対値｜Ｔｈａ｜を所定のトルク閾値Ｔｔｈ２（＞Ｔｔｈ１）と比較して出力信号Ｃｔ２又は過去値初期化信号Ｐｉ２を出力するトルク値比較部３０３−２と、出力信号Ｃｔ２の上下限値を制限し、過大な信号を入力しないようにするリミッタ３０４−２と、リミッタ３０４−２からの積分入力値Ｃｔａ２を積分する積分演算部３０５−２と、積分演算部３０５−２で積分された積分出力値Ｉｏｕｔ２を入力し、所定の積分閾値Ｓｔｈ２（＜Ｓｔｈ１）と比較して操舵トルク判定信号ＴＤを出力する切換判定部３０６Ａとで構成されている。切換判定部３０６Ａは、第１系列及び第２系列共通でも、また、個別であってもよい。
【００４６】
トルク値比較部３０３−１は、操舵トルクＴｈａの絶対値｜Ｔｈａ｜をトルク閾値Ｔｔｈ１と比較し、絶対値｜Ｔｈａ｜がトルク閾値Ｔｔｈ１以上のときにリミッタ３０４−１を経て積分演算部３０５−１で積分動作を実施し、絶対値｜Ｔｈａ｜がトルク閾値Ｔｔｈ１よりも小さいときに積分値を０に初期化する。即ち、トルク値比較部３０３−１は下記のような動作を行う。
（表３）
｜Ｔｈａ｜≧Ｔｔｈ１のとき、出力信号Ｃｔ１＝｜Ｔｈａ｜
｜Ｔｈａ｜＜Ｔｔｈ１のとき、出力信号Ｃｔ１＝０、過去値初期化信号Ｐｉ１出力
同様に、トルク値比較部３０３−２は、操舵トルクＴｈａの絶対値｜Ｔｈａ｜をトルク閾値Ｔｔｈ２と比較し、絶対値｜Ｔｈａ｜がトルク閾値Ｔｔｈ２以上のときにリミッタ３０４−２を経て積分演算部３０５−２で積分動作を実施し、絶対値｜Ｔｈａ｜がトルク閾値Ｔｔｈ２よりも小さいときに積分値を０に初期化する。即ち、トルク値比較部３０３−２は下記のような動作を行う。
（表４）
｜Ｔｈａ｜≧Ｔｔｈ２のとき、出力信号Ｃｔ２＝｜Ｔｈａ｜
｜Ｔｈａ｜＜Ｔｔｈ２のとき、出力信号Ｃｔ２＝０、過去値初期化信号Ｐｉ２出力
トルク値比較部３０３−１から過去値初期化信号Ｐｉ１が出力されると、積分演算部３０５−１内の過去値保持部（Ｚ−１）が０に初期化され、同様に、トルク値比較部３０３−２から過去値初期化信号Ｐｉ２が出力されると、積分演算部３０５−２内の過去値保持部（Ｚ−１）が０に初期化される。
【００４７】
切換判定部３０６Ａは、積分出力値Ｉｏｕｔ１を積分閾値Ｓｔｈ１と比較し、積分出力値Ｉｏｕｔ１が積分閾値Ｓｔｈ１以上のときに切換条件が成立し、自動操舵モードから手動操舵モードに切り換え、積分出力値Ｉｏｕｔ１が積分閾値Ｓｔｈ１よりも小さいときに切換条件不成立とし、自動操舵モードを継続する。また、切換判定部３０６Ａは、積分出力値Ｉｏｕｔ２を積分閾値Ｓｔｈ２と比較し、積分出力値Ｉｏｕｔ２が積分閾値Ｓｔｈ２以上のときに切換条件が成立し、自動操舵モードから手動操舵モードに切り換え、積分出力値Ｉｏｕｔ２が積分閾値Ｓｔｈ２よりも小さいときに切換条件不成立とし、自動操舵モードを継続する。
【００４８】
即ち、切換判定部３０６Ａは下記のような動作を行う。
（表５）
Ｉｏｕｔ１≧Ｓｔｈ１、若しくはＩｏｕｔ２≧Ｓｔｈ２のとき、切換条件成立
Ｉｏｕｔ１＜Ｓｔｈ１、かつＩｏｕｔ２＜Ｓｔｈ２のとき、切換条件不成立
絶対値部３０２を設けることで、値の大きさのみで判定することができる。また、構成として、絶対値部３０２とトルク値比較部３０３−１、３０３−２とを組み合わせ、トルク値比較部３０３−１及び３０３−２の内部処理で絶対値を判定するようにしても良い。トルク閾値Ｔｔｈ１、Ｔｔｈ２を正負複数設定する場合は絶対値部は不要であり、積分演算後に絶対値を求めるようにしても良い。
【００４９】
このような構成において、全体の動作例（第２実施例）を図１１のフローチャートを参照して説明する。
【００５０】
操舵系の動作がスタートすると、トルク制御部１４１によるトルク制御（手動操舵モード）が実施され（ステップＳ２０）、モータ電流指令値Ｉｔｒｅｆを用いて電流制御/駆動部１４３によりモータ１５０が駆動される（ステップＳ２１）。上記動作は切換指令部１３１より切換指令ＳＷが出力されるまで繰り返される（ステップＳ２２）。
【００５１】
自動操舵モードとなり、切換指令部１３１より切換指令ＳＷが出力されると、舵角制御部２００へ目標操舵角生成部１３２から目標操舵角θｔが入力され（ステップＳ２３）、舵角センサ１５２から実操舵角θｒが入力され（ステップＳ２４）、トルクセンサ１５４から操舵トルクＴｈが入力され（ステップＳ２５）、車速センサ１５３から車速Ｖｅｌが入力され（ステップＳ２６）、モータ角速度演算部１４４からモータ角速度ωが入力され（ステップＳ２７）、舵角制御部２００でモータ電流指令値Ｉｍｒｅｆが生成される（ステップＳ１００）。なお、目標操舵角θｔ、実操舵角θｒ、操舵トルクＴｈ、モータ角速度ωの入力の順番は任意である。
【００５２】
その後、切換部１４２が切換指令部１３１からの切換指令ＳＷにより切り換えられて自動操舵モードとなり（ステップＳ３０）、舵角制御部２００からのモータ電流指令値Ｉｍｒｅｆを用いて電流制御／駆動部１４３によりモータ１５０を駆動する（ステップＳ３１）。
【００５３】
このような自動操舵モード中に、操舵トルクＴｈはトルク積分判定部３００Ａでトルク積分動作を実施され（ステップＳ３００）、積分されたトルク積分値（積分出力値Ｉｏｕｔ１、Ｉｏｕｔ２）が所定の閾値（Ｓｔｈ１、Ｓｔｈ２）以上になっているか否かが判定される（ステップＳ３００Ａ）。トルク積分値Ｉｏｕｔ１又はＩｏｕｔ２が閾値Ｓｔｈ１又はＳｔｈ２以上の場合には切換条件成立であり、トルク積分判定部３００より操舵トルク判定信号ＴＤが出力され、切換部１４２が切り換えられて上記ステップＳ２０にリターンして手動操舵モードとなる。トルク積分値Ｉｏｕｔ１及びＩｏｕｔ２が閾値Ｓｔｈ１及びＳｔｈ２よりも小さい場合には切換条件不成立であり、上記ステップＳ２２にリターンして上記動作（自動操舵モード）が繰り返される。
【００５４】
次にトルク積分判定部３００Ａの動作（図１１におけるステップＳ３００及びＳ３００Ａ）を、図１２のフローチャートを参照して詳細に説明する。
【００５５】
既に入力（ステップＳ２５）されている操舵トルクＴｈを読み取り（ステップＳ３０１）、ＬＰＦ３０１でノイズ除去を行い（ステップＳ３０２）、絶対値部３０２でＬＰＦ３０１からの操舵トルクＴｈａの絶対値｜Ｔｈａ｜を求める（ステップＳ３０３）。トルク値比較部３０３−１にはトルク閾値Ｔｔｈ１が予め入力されており、トルク値比較部３０３−１は絶対値｜Ｔｈａ｜がトルク閾値Ｔｔｈ１以上であるか否かを判定し（ステップＳ３０４）、絶対値｜Ｔｈａ｜がトルク閾値Ｔｔｈ１以上である場合には、出力信号Ｃｔ１を絶対値｜Ｔｈａ｜としてリミッタ３０４−１を経て積分演算部３０５−１に入力し、積分演算部３０５−１で積分動作を行う（ステップＳ３０５）。また、絶対値｜Ｔｈａ｜がトルク閾値Ｔｔｈ１よりも小さい場合には、出力信号Ｃｔ１を０にして積分動作をしないようにすると共に、過去値初期化信号Ｐｉ１を出力して積分演算部３０５−１を初期化する（ステップＳ３０６）。初期化は積分演算部３０５−１内の過去値保持部（Ｚ−１）を０にリセットすることにより行われる。
【００５６】
また、トルク値比較部３０３−２にはトルク閾値Ｔｔｈ２（＞Ｔｔｈ１）が予め入力されており、トルク値比較部３０３−２は絶対値｜Ｔｈａ｜がトルク閾値Ｔｔｈ２以上であるか否かを判定し（ステップＳ３１０）、絶対値｜Ｔｈａ｜がトルク閾値Ｔｔｈ２以上である場合には、出力信号Ｃｔ２を絶対値｜Ｔｈａ｜としてリミッタ３０４−２を経て積分演算部３０５−２に入力し、積分演算部３０５−２で積分動作を行う（ステップＳ３１１）。また、絶対値｜Ｔｈａ｜がトルク閾値Ｔｔｈ２よりも小さい場合には、出力信号Ｃｔ２を０にして積分動作をしないようにすると共に、過去値初期化信号Ｐｉ２を出力して積分演算部３０５−２を初期化する（ステップＳ３１２）。初期化は積分演算部３０５−２内の過去値保持部（Ｚ−１）を０にリセットすることにより行われる。
【００５７】
積分演算部３０５−１からの積分出力値Ｉｏｕｔ１は切換判定部３０６Ａに入力され、切換判定部３０６Ａにおいて積分出力値Ｉｏｕｔ１が積分閾値Ｓｔｈ１以上であるか否かが判定されると共に、積分演算部３０５−２からの積分出力値Ｉｏｕｔ２も切換判定部３０６Ａに入力され、切換判定部３０６Ａにおいて積分出力値Ｉｏｕｔ２が積分閾値Ｓｔｈ２以上であるか否かが判定される（ステップＳ３２０）。積分出力値Ｉｏｕｔ１が積分閾値Ｓｔｈ１以上又は積分出力値Ｉｏｕｔ２が積分閾値Ｓｔｈ２以上である場合には切換条件が成立し（ステップＳ３２１）、操舵トルク判定信号ＴＤにより切換部１４２を切り換え（ステップＳ３２２）、自動操舵モードから手動操舵モードに切り換える（ステップＳ３２３）。また、積分出力値Ｉｏｕｔ１及びＩｏｕｔ２が積分閾値Ｓｔｈ１及びＳｔｈ２との関係で、上記以外の場合には切換条件が不成立であり、切換は行われない（ステップＳ３２４）。
【００５８】
図１３は、操舵トルクＴｈの操舵パターン＃１〜＃３と判定時間Ｄ１〜Ｄ３の関係を示しており、トルク閾値Ｔｔｈ１及びＴｔｈ２（＞Ｔｔｈ１）が与えられている。例えば運転者により緊急回避が行われる際には、なるべく短い判定時間にすることが望まれる。大きい操舵トルクを検出してからの検出時間を短くするために、トルク閾値Ｔｔｈ２をトルク閾値Ｔｔｈ１よりも大きく、積分閾値Ｓｔｈ２を積分閾値Ｓｔｈ１よりも小さくすれば良い。図１３の判定時間Ｄ１〜Ｄ３は、それぞれ操舵パターン＃１〜＃３に対するトルク閾値Ｔｔｈ１、積分閾値Ｓｔｈ１の結果である。操舵トルクＴｈがトルク閾値Ｔｔｈ１に達するタイミングは同じで、それ以降の操舵トルクＴｈはトルク閾値Ｔｔｈ１よりも大きいとする。操舵トルクＴｈが大きいほど判定時間が短くなることが分かる。これは、操舵トルクＴｈが大きいほど積分の変化率が大きく、積分閾値Ｓｔｈ１に早く到達するためである。
【００５９】
そして、判定時間Ｄ３Ａは、トルク閾値Ｔｔｈ２及び積分閾値Ｓｔｈ２の結果である。操舵パターン＃１及び＃２の操舵トルクＴｈはトルク閾値Ｔｔｈ２に対して小さく、操舵パターン＃３のみが大きくなるとする。積分閾値Ｓｔｈ２を小さく設定することで、操舵トルクＴｈがトルク閾値Ｔｔｈ２を超えた後の判定時間をトルク閾値Ｔｔｈ１及び積分閾値Ｓｔｈ１の場合よりも短くすることができる。トルク閾値Ｔｔｈ２及び積分閾値Ｓｔｈ２を設定することによって、判定のタイミングを早くすることができる。
【００６０】
図１４（Ａ）は、トルク閾値Ｔｔｈ１に対する操舵トルクＴｈ（Ｔｈａ）の時間変化の一例を積分動作の関連で示しており、図１４（Ｂ）は、トルク閾値Ｔｔｈ２に対する操舵トルクＴｈ（Ｔｈａ）の時間変化の一例を積分動作の関連で示している。
【００６１】
図１４（Ａ）の例では、スタートから時点ｔ１までは操舵トルクＴｈがトルク閾値Ｔｔｈ１よりも小さいので積分は行われない。時点ｔ１から時点ｔ２までの間は、操舵トルクＴｈがトルク閾値Ｔｔｈ１以上であるので積分が行われるが、積分値が積分閾値Ｓｔｈ１よりも小さいので切換条件は不成立となっている。そして、時点ｔ２から時点ｔ３までは操舵トルクＴｈがトルク閾値Ｔｔｈ１よりも小さいので積分は行われず、時点ｔ３以降は操舵トルクＴｈがトルク閾値Ｔｔｈ１以上であるので積分が行われる。時点ｔ４において積分値が所定値（積分閾値Ｓｔｈ１）以上となり、切換条件が成立する様子を示している。つまり、図１４（Ａ）の斜線部が積分領域（面積）となっているが、時点ｔ２においては積分値が積分閾値Ｓｔｈ１よりも小さくて切換条件は不成立、時点ｔ４において積分値が積分閾値Ｓｔｈ１以上となり、切換条件が成立する例を示している。
【００６２】
図１４（Ｂ）の例では、トルク閾値Ｔｔｈ２がトルク閾値Ｔｔｈ１よりも大きく設定されており、スタートから時点ｔ１０までは操舵トルクＴｈがトルク閾値Ｔｔｈ２よりも小さいので積分は行われない。時点ｔ１０から時点ｔ２０までの間は、操舵トルクＴｈがトルク閾値Ｔｔｈ２以上であるので積分が行われるが、積分値が積分閾値Ｓｔｈ２よりも小さいので切換条件は不成立となっている。そして、時点ｔ２０から時点ｔ３０までは操舵トルクＴｈがトルク閾値Ｔｔｈ２よりも小さいので積分は行われず、時点ｔ３０以降は操舵トルクＴｈがトルク閾値Ｔｔｈ２以上であるので積分が行われる。時点ｔ４０において積分値が所定値（積分閾値Ｓｔｈ２）以上となり、切換条件が成立する様子を示している。つまり、図１４（Ｂ）の斜線部が積分領域（面積）となっているが、時点ｔ２０においては積分値が積分閾値Ｓｔｈ２よりも小さくて切換条件は不成立、時点ｔ４０において積分値が積分閾値Ｓｔｈ２以上となり、切換条件が成立する例を示している。
【００６３】
なお、切換部１４２で操舵モードの切換を行う場合に、フェードゲインを用いて徐変させるようにしても良い。また、上述では２つのトルク閾値とそれに対応する２つの積分閾値を設定した２系列の例を説明しているが、各３つ以上の閾値を設定した３系列以上で作動させることも可能である。
【符号の説明】
【００６４】
１                    ハンドル（ステアリングホイール）
２                    コラム軸（ステアリングシャフト）
１０、１５４          トルクセンサ
１２、１５３          車速センサ
１３                  バッテリ
２０，１５０          モータ
２１                  モータ駆動部
１００                コントロールユニット（ＥＣＵ）
１１０                トルク系制御部
１２０                モータ系制御部
１５１                回転センサ
１５２                舵角センサ
１３０                車両側のＥＣＵ
１３１                切換指令部
１３２                目標操舵角生成部
１４０                ＥＰＳ側のＥＣＵ
１４１                トルク制御部
１４２                切換部
１４３                電流制御／駆動部
１４４                モータ角速度演算部
３００、３００Ａ      トルク積分判定部
３０３、３０３−１、３０３−２      トルク値比較部
３０５、３０５−１、３０５−２      積分演算部
３０６、３０６Ａ      切換判定部
【図１】
2016145036.tif 000003
【図２】
2016145036.tif 000004
【図３】
2016145036.tif 000005
【図４】
2016145036.tif 000006
【図５】
2016145036.tif 000007
【図６】
2016145036.tif 000008
【図７】
2016145036.tif 000009
【図８】
2016145036.tif 000010
【図９】
2016145036.tif 000011
【図１０】
2016145036.tif 000012
【図１１】
2016145036.tif 000013
【図１２】
2016145036.tif 000014
【図１３】
2016145036.tif 000015
【図１４】
2016145036.tif 000016